(57)【要約】      （修正有）【課題】計数処理された紙幣の管理責任を明確にする。【解決手段】紙幣計数機２１により識別処理された紙幣の各々について、処理担当者情報及び紙幣計数機情報のうち少なくともいずれか１つと紙幣番号とを含む処理履歴情報を管理する。本発明の一態様による紙幣管理装置１０は、第１紙幣計数機２１により識別処理された紙幣の前記処理履歴情報である第１処理履歴情報と、第２紙幣計数機１１により識別処理された紙幣の前記処理履歴情報である第２処理履歴情報を受信する受信部をさらに備え、前記管理部は、前記紙幣番号が同一の紙幣についての前記第１処理履歴情報と前記第２処理履歴情報とを紐付けて管理することを特徴とする。【選択図】図１
2015156050.tif 000002
【特許請求の範囲】
【請求項１】
紙幣計数機により識別処理された紙幣の各々について、処理担当者情報及び紙幣計数機情報のうち少なくともいずれか１つと紙幣番号とを含む処理履歴情報を管理する管理部を備える紙幣管理装置。
【請求項２】
第１紙幣計数機により識別処理された紙幣の前記処理履歴情報である第１処理履歴情報と、第２紙幣計数機により識別処理された紙幣の前記処理履歴情報である第２処理履歴情報を受信する受信部をさらに備え、
前記管理部は、前記紙幣番号が同一の紙幣についての前記第１処理履歴情報と前記第２処理履歴情報とを紐付けて管理することを特徴とする請求項１に記載の紙幣管理装置。
【請求項３】
前記受信部は、前記第１紙幣計数機が設置された場所から前記第２紙幣計数機が設置された場所へ搬送された紙幣の前記処理履歴情報である第３処理履歴情報を受信し、
前記管理部は、前記紙幣番号が同一の紙幣についての前記第１処理履歴情報、前記第２処理履歴情報、及び前記第３処理履歴情報を紐付けて管理することを特徴とする請求項２に記載の紙幣管理装置。
【請求項４】
前記管理部は、紙幣計数機により識別された紙幣番号を変更した担当者の情報及び変更日時を含む更新情報を管理することを特徴とする請求項１乃至３のいずれかに記載の紙幣管理装置。
【請求項５】
前記受信部は、前記第１処理履歴情報を含む２次元コードを読み取る読取部を有していることを特徴とする請求項１乃至４のいずれかに記載の紙幣管理装置。
【請求項６】
紙幣の紙幣番号を識別する紙幣計数機と、
前記紙幣計数機により識別処理された紙幣の各々について、処理担当者情報及び紙幣計数機情報のうち少なくともいずれか１つと紙幣番号とを含む処理履歴情報を管理する紙幣管理装置と、
を備える紙幣処理システム。
【請求項７】
前記紙幣管理装置は、第１紙幣計数機により識別処理された紙幣の前記処理履歴情報である第１処理履歴情報と、第２紙幣計数機により識別処理された紙幣の前記処理履歴情報である第２処理履歴情報を受信し、前記紙幣番号が同一の紙幣についての前記第１処理履歴情報と前記第２処理履歴情報とを紐付けて管理することを特徴とする請求項６に記載の紙幣処理システム。
【請求項８】
第１紙幣計数機及び前記紙幣管理装置と通信可能に接続された第１コンピュータと、
第２紙幣計数機及び前記紙幣管理装置と通信可能に接続された第２コンピュータと、
をさらに備え、
前記第１コンピュータは、前記第１紙幣計数機から紙幣の識別結果を受け取り、前記第１処理履歴情報を作成して、前記紙幣管理装置へ送信し、
前記第２コンピュータは、前記第２紙幣計数機から紙幣の識別結果を受け取り、前記第２処理履歴情報を作成して、前記紙幣管理装置へ送信することを特徴とする請求項７に記載の紙幣処理システム。
【請求項９】
前記第１紙幣計数機から紙幣の識別結果を受け取り、前記第１処理履歴情報を含む２次元コードを生成する２次元コード生成部と、
前記紙幣管理装置に設けられ、前記２次元コードを読み取って、前記第１処理履歴情報を取得する読取部と、
をさらに備えることを特徴とする請求項７又は８に記載の紙幣処理システム。
【請求項１０】
紙幣計数機が紙幣の紙幣番号を識別するステップと、
前記紙幣計数機により識別処理された紙幣の各々について、処理担当者情報及び紙幣計数機情報のうち少なくともいずれか１つと紙幣番号とを含む処理履歴情報を作成するステップと、
を備える紙幣処理方法。
【請求項１１】
第１紙幣計数機により識別処理された紙幣の前記処理履歴情報である第１処理履歴情報を作成するステップと、
第２紙幣計数機により識別処理された紙幣の前記処理履歴情報である第２処理履歴情報を作成するステップと、
前記紙幣番号が同一の紙幣についての前記第１処理履歴情報と前記第２処理履歴情報とを紐付けて管理するステップと
をさらに備えることを特徴とする請求項１０に記載の紙幣処理方法。
【請求項１２】
前記第１処理履歴情報と前記第２処理履歴情報とが紐付けられていない紙幣の紙幣番号を特定するステップをさらに備えることを特徴とする請求項１１に記載の紙幣処理方法。
【発明の詳細な説明】
【技術分野】
【０００１】
本発明は、紙幣管理装置、紙幣処理システム、及び紙幣処理方法に関する。
【背景技術】
【０００２】
銀行等の金融機関では、本店やセンターと支店との間で紙幣の集配が行われている。例えば、銀行支店で計数された紙幣が、警送会社により銀行センターへ搬送される。銀行センターでは、搬送された紙幣が再度計数され、支店での計数結果（金種別枚数及び合計金額）と照合される。紙幣は、銀行支店や銀行センターにおいて、複数の計数機を用いて、複数のオペレータにより計数処理される。
【０００３】
銀行センターにおける照合結果が一致しない場合や、銀行センターに搬送された紙幣に偽造紙幣が含まれていた場合、どの紙幣が不足しているか、また、どの段階の処理に問題があったのかを特定し、管理責任を明確化することが求められる。しかし、従来は、複数の紙幣を１処理単位とし、この１処理単位の紙幣について処理日時等を管理しているだけであった（例えば特許文献１参照）。そのため、紙幣１枚毎の処理履歴は分からず、管理責任を明確にすることができなかった。
【先行技術文献】
【特許文献】
【０００４】
【特許文献１】特開２００８−３７５８９号公報
【発明の概要】
【発明が解決しようとする課題】
【０００５】
本発明は、計数処理された紙幣の管理責任を明確にすることができる紙幣管理装置、紙幣処理システム、及び紙幣処理方法を提供することを目的とする。
【課題を解決するための手段】
【０００６】
本発明の一態様による紙幣管理装置は、紙幣計数機により識別処理された紙幣の各々について、処理担当者情報及び紙幣計数機情報のうち少なくともいずれか１つと紙幣番号とを含む処理履歴情報を管理する管理部を備えるものである。
【０００７】
本発明の一態様による紙幣管理装置は、第１紙幣計数機により識別処理された紙幣の前記処理履歴情報である第１処理履歴情報と、第２紙幣計数機により識別処理された紙幣の前記処理履歴情報である第２処理履歴情報を受信する受信部をさらに備え、前記管理部は、前記紙幣番号が同一の紙幣についての前記第１処理履歴情報と前記第２処理履歴情報とを紐付けて管理することを特徴とする。
【０００８】
本発明の一態様による紙幣管理装置は、前記受信部は、前記第１紙幣計数機が設置された場所から前記第２紙幣計数機が設置された場所へ搬送された紙幣の前記処理履歴情報である第３処理履歴情報を受信し、前記管理部は、前記紙幣番号が同一の紙幣についての前記第１処理履歴情報、前記第２処理履歴情報、及び前記第３処理履歴情報を紐付けて管理することを特徴とする。
【０００９】
本発明の一態様による紙幣管理装置は、前記管理部は、紙幣計数機により識別された紙幣番号を変更した担当者の情報及び変更日時を含む更新情報を管理することを特徴とする。
【００１０】
本発明の一態様による紙幣管理装置は、前記受信部は、前記第１処理履歴情報を含む２次元コードを読み取る読取部を有していることを特徴とする。
【００１１】
本発明の一態様による紙幣処理システムは、紙幣の紙幣番号を識別する紙幣計数機と、前記紙幣計数機により識別処理された紙幣の各々について、処理担当者情報及び紙幣計数機情報のうち少なくともいずれか１つと紙幣番号とを含む処理履歴情報を管理する紙幣管理装置と、を備えるものである。
【００１２】
本発明の一態様による紙幣処理システムは、前記紙幣管理装置は、第１紙幣計数機により識別処理された紙幣の前記処理履歴情報である第１処理履歴情報と、第２紙幣計数機により識別処理された紙幣の前記処理履歴情報である第２処理履歴情報を受信し、前記紙幣番号が同一の紙幣についての前記第１処理履歴情報と前記第２処理履歴情報とを紐付けて管理することを特徴とする。
【００１３】
本発明の一態様による紙幣処理システムは、第１紙幣計数機及び前記紙幣管理装置と通信可能に接続された第１コンピュータと、第２紙幣計数機及び前記紙幣管理装置と通信可能に接続された第２コンピュータと、をさらに備え、前記第１コンピュータは、前記第１紙幣計数機から紙幣の識別結果を受け取り、前記第１処理履歴情報を作成して、前記紙幣管理装置へ送信し、前記第２コンピュータは、前記第２紙幣計数機から紙幣の識別結果を受け取り、前記第２処理履歴情報を作成して、前記紙幣管理装置へ送信することを特徴とする。
【００１４】
本発明の一態様による紙幣処理システムは、前記第１紙幣計数機から紙幣の識別結果を受け取り、前記第１処理履歴情報を含む２次元コードを生成する２次元コード生成部と、前記紙幣管理装置に設けられ、前記２次元コードを読み取って、前記第１処理履歴情報を取得する読取部と、をさらに備えることを特徴とする。
【００１５】
本発明の一態様による紙幣処理方法は、紙幣計数機が紙幣の紙幣番号を識別するステップと、前記紙幣計数機により識別処理された紙幣の各々について、処理担当者情報及び紙幣計数機情報のうち少なくともいずれか１つと紙幣番号とを含む処理履歴情報を作成するステップと、を備えるものである。
【００１６】
本発明の一態様による紙幣処理方法は、第１紙幣計数機により識別処理された紙幣の前記処理履歴情報である第１処理履歴情報を作成するステップと、第２紙幣計数機により識別処理された紙幣の前記処理履歴情報である第２処理履歴情報を作成するステップと、前記紙幣番号が同一の紙幣についての前記第１処理履歴情報と前記第２処理履歴情報とを紐付けて管理するステップと、をさらに備えることを特徴とする。
【００１７】
本発明の一態様による紙幣処理方法は、前記第１処理履歴情報と前記第２処理履歴情報とが紐付けられていない紙幣の紙幣番号を特定するステップをさらに備えることを特徴とする。
【発明の効果】
【００１８】
本発明によれば、計数処理された紙幣の管理責任を明確にすることができる。
【図面の簡単な説明】
【００１９】
【図１】本実施形態に係る紙幣処理システムの構成図である。
【図２】紙幣計数機の斜視図である。
【図３】紙幣計数機の断面図である。
【図４】同実施形態に係る紙幣管理装置の構成図である。
【図５】変形例による紙幣処理システムの構成図である。
【図６】紙幣整理機の斜視図である。
【図７】変形例による紙幣処理システムの構成図である。
【発明を実施するための形態】
【００２０】
以下、本発明の実施の形態を図面に基づいて説明する。
【００２１】
図１は本実施形態に係る紙幣処理システムの構成図である。本実施形態では、銀行センター１及び銀行支店２により構成される紙幣処理システムを例に説明を行う。銀行支店２で扱われた紙幣は警送会社の輸送車両３により銀行センター１に搬送され、集計、管理される。
【００２２】
銀行支店２には、紙幣を識別計数する紙幣計数機２１、及び支店コンピュータ２２が設けられている。また、銀行センター１には、紙幣管理装置１０、紙幣を識別計数する紙幣計数機１１、及びコンピュータ１２が設けられている。紙幣管理装置１０は、銀行センター１のコンピュータ１２や銀行支店２の支店コンピュータ２２とネットワークを介して通信可能に接続されている。
【００２３】
図２は、紙幣を識別計数する紙幣計数機２１の斜視図であり、図３は断面図である。図２、図３に示すように、紙幣計数機２１は、筐体１１２と、計数が行われるべき複数の紙幣が積層状態で載置される載置部１１４と、載置部１１４に載置された複数の紙幣のうち最下層にある紙幣を筐体１１２の内部に１枚ずつ繰り出すための繰出部１１６と、筐体１１２の内部に設けられ、繰出部１１６により筐体１１２の内部に繰り出された紙幣を１枚ずつ搬送する搬送部１１８と、を備えている。また、搬送部１１８には、繰出部１１６により筐体１１２の内部に繰り出された紙幣の識別を行うための識別部１３０が設けられている。
【００２４】
図３に示すように、識別部１３０よりも下流側の箇所において搬送部１１８は２つの搬送路に分岐しており、一方の搬送路の下流側端部には集積部１２０が接続されており、他方の搬送路の下流側端部にはリジェクト部１４０が接続されている。識別部１３０により識別された紙幣は、集積部１２０又はリジェクト部１４０に選択的に送られるようになっている。集積部１２０の前面（図３における左側の面）には開口が設けられており、操作者はこの開口を介して集積部１２０に集積された紙幣を取り出すことができるようになっている。また、リジェクト部１４０に前面にも開口が設けられており、紙幣を取り出すことができるようになっている。また、図２及び図３に示すように、集積部１２０の前面には開閉可能なシャッター１３４が設けられている。紙幣計数機２１の各要素は制御部１６０により制御される。
【００２５】
識別部１３０は、紙幣の金種、真偽、正損、方向等を識別する。また、識別部１３０はＯＣＲ（Optical Character Recognition）機能を有しており、紙幣番号を読み取ることができる。
【００２６】
紙幣番号は紙幣の左右に同じ番号が印字されており、識別部１３０は、左右の紙幣番号を読み取る。識別部１３０は、紙幣番号の読み取りに際し、ＯＣＲの認識率や、紙幣番号の認識状態も算出する。ここで、ＯＣＲの認識率は、文字（紙幣番号）の認識率であり、０〜１００％で表される。また、紙幣番号の認識状態は、ＯＣＲ認識率に対応したものであり、例えば、以下の４ランクに分けられる。
【００２７】
【表１】
2015156050.tif 000003
【００２８】
操作パネル１２２には、計数結果を表示する表示部が設けられている。表示部は例えば液晶ディスプレイである。また、操作パネル１２２には、計数処理を行う処理担当者の情報を入力する入力手段が設けられている。入力手段は、処理担当者の名前や社員番号等の担当者識別情報を入力する操作キーでもよいし、処理担当者のＩＤカードを読み取るカード読み取り部でもよい。
【００２９】
紙幣計数機２１には、図示しない演算制御部及び記憶部が設けられており、演算制御部は、識別部１３０が識別した紙幣の金種や紙幣番号等の識別結果を記憶部に格納し、計数処理後、識別結果を支店コンピュータ２２へ送信する。また、紙幣計数機２１は、識別結果とともに、計数処理を行った日時や、計数処理を行った処理担当者の情報も支店コンピュータ２２へ送信する。
【００３０】
支店コンピュータ２２は、紙幣計数機２１から受け取った識別結果、処理日時、処理担当者情報、ＯＣＲ認識率、紙幣番号認識状態等を用いて、紙幣計数機２１により計数された紙幣の各々について処理履歴情報を作成する。処理履歴情報は、以下の表２のようなデータ構成になっている。
【００３１】
【表２】
2015156050.tif 000004
【００３２】
ここで、「通番」は、当該紙幣を含む複数枚の紙幣をひとまとまりとした処理単位の通し番号であり、例えば、銀行支店２で顧客から入金された紙幣を顧客毎に１処理単位としてまとめ、処理単位の１つ１つに通し番号としての取引ＩＤが割り当てられる。銀行支店２には複数の紙幣計数機２１が設けられており、「端末号機」は、どの紙幣計数機２１が計数処理を行ったかを示す情報である。「国コード」は、識別された紙幣の発行国を示す情報である。例えば、ユーロ紙幣は、複数の国が発券しており、紙幣番号の先頭の文字から発券した国が判別される。
【００３３】
また、担当者は、支店コンピュータ２２を用いて、処理履歴情報を変更することができる。例えば、担当者は、紙幣計数機２１が認識できなかったり、誤って認識したりした場合、紙幣番号を入力・変更することができる。担当者が処理履歴情報を変更した場合、変更対象、担当者、及び変更日時についての情報が更新データとして、例えば以下の表３のように、処理履歴情報に付加される（紐付けられる）。
【００３４】
【表３】
2015156050.tif 000005
【００３５】
図１に示すように、銀行支店２で計数処理された紙幣は、警送会社の輸送車両３により銀行センター１に搬送される。支店コンピュータ２２は、各紙幣について、以下の表４に示すような、紙幣の搬送を行う警送会社や、搬送日、搬送担当者についての情報を含む処理履歴情報を作成する。
【００３６】
【表４】
2015156050.tif 000006
【００３７】
支店コンピュータ２２は、表２〜表４に示すような、各紙幣について作成した処理履歴情報を、ネットワークを介して銀行センター１の紙幣管理装置１０へ送信する。
【００３８】
銀行センター１へ搬送された紙幣は、紙幣計数機１１により識別計数される。紙幣計数機１１は、図２、図３に示す紙幣計数機２１と同様の構成になっており、紙幣の金種、真偽、正損、方向、紙幣番号等を識別することができる。紙幣計数機１１は、識別結果とともに、ＯＣＲ認識率、紙幣番号認識状態、計数処理を行った日時や、計数処理を行った処理担当者の情報をコンピュータ１２へ送信する。
【００３９】
コンピュータ１２は、紙幣計数機１１から受け取った識別結果、処理日時、処理担当者情報、ＯＣＲ認識率、紙幣番号認識状態等を用いて、紙幣計数機１１により計数された紙幣の各々について処理履歴情報を作成する。処理履歴情報は、以下の表５のようなデータ構成になっている。
【００４０】
【表５】
2015156050.tif 000007
【００４１】
ここで、「通番」は、銀行センター１で行われた計数処理の１つ１つに新たな通し番号を割り当てることもできるが、銀行支店２で付与された通し番号（取引ＩＤ）をそのまま用いることが好ましい。銀行センター１には複数の紙幣計数機１１が設けられており、「端末号機」は、どの紙幣計数機１１が計数処理を行ったかを示す情報である。
【００４２】
また、担当者は、コンピュータ１２を用いて、処理履歴情報を変更することができる。例えば、担当者は、紙幣計数機１１が認識できなかったり、誤って認識したりした場合、紙幣番号を入力・変更することができる。担当者が処理履歴情報を変更した場合、変更対象、担当者、及び変更日時についての情報が更新データとして、処理履歴情報に付加される。
【００４３】
コンピュータ１２は、表５に示すような、各紙幣について作成した処理履歴情報を紙幣管理装置１０へ送信する。
【００４４】
図４は紙幣管理装置１０の概略構成を示す。紙幣管理装置１０は、受信部１０Ａ、記憶部１０Ｂ、及び管理部１０Ｃを有している。紙幣管理装置１０は、受信部１０Ａを介して、複数の銀行支店２の支店コンピュータ２２や、銀行センター１のコンピュータ１２から処理履歴情報を受信し、記憶部１０Ｂに格納する。管理部１０Ｃは、処理履歴情報に含まれる紙幣番号に基づいて、紙幣番号が同じ処理履歴情報を紐付けて管理する。
【００４５】
銀行支店２から銀行センター１へ搬送される紙幣の金種別枚数の情報が、ネットワークを介して、又は明細伝票により、銀行センター１に通知される。銀行センター１では、銀行支店２から搬送されてきた紙幣が識別計数され、銀行センター１での計数結果と、通知されている金種別枚数との情報が照合される。照合結果が不一致であった場合、記憶部１０Ｂに格納されている情報を用いて、不足している紙幣を特定する。
【００４６】
例えば、管理部１０Ｃが、銀行支店２から搬送されてきた紙幣の処理履歴情報に含まれる紙幣番号と、銀行センター１で計数された紙幣の処理履歴情報に含まれる紙幣番号とを比較する。そして、銀行支店２から搬送されてきた紙幣の処理履歴情報に含まれており、銀行センター１で計数された紙幣の処理履歴情報に含まれていない紙幣番号を検出する。検出された紙幣番号の紙幣が不足している紙幣に相当する。管理部１０Ｃは、検出した紙幣番号を含むすべての処理履歴情報を記憶部１０Ｂから取り出し、図示しない表示部に表示する。オペレータは、表示された処理履歴情報を確認し、ミスや不正等が発生したと推察される処理を特定することができる。また、処理履歴情報には、計数処理した紙幣計数機や、処理担当者の情報が含まれているため、紙幣が残置されている可能性のある紙幣計数機や、当該紙幣について管理責任のある担当者を特定することができる。
【００４７】
また、銀行センター１での計数処理の際に偽造紙幣が発見された場合も、偽造紙幣の紙幣番号を用いて記憶部１０Ｂ内の処理履歴情報を検索し、どの段階の処理で偽造紙幣が混入したかを特定できる。さらに、偽造紙幣が混入した処理の処理担当者を特定することができる。
【００４８】
このように、本実施形態では、銀行で取り扱われる紙幣１枚毎に、銀行支店２で計数処理を行った紙幣計数機２１や処理担当者の情報、銀行支店２から銀行センター１への搬送処理を行った処理担当者の情報、銀行センター１で計数処理を行った紙幣処理機１１や処理担当者の情報が管理される。そのため、紙幣の紛失や偽造紙幣の混入等が発生した場合に、紙幣１枚毎の処理履歴からどの段階の処理で問題が生じたかを特定し、担当者の管理責任を明確化することができる。
【００４９】
上記実施形態では、銀行支店２から銀行センター１へ処理履歴情報がネットワークを介して送信されていたが、図５に示すように、銀行支店２と銀行センター１との間に通信ネットワークが構築されていない場合は、支店コンピュータ２２に接続された２次元コード生成部２３を設け、処理履歴情報を含む２次元コードを生成し、２次元コードがプリントされた用紙を、紙幣と共に輸送車両３が銀行センター１へ搬送するようにしてもよい。この場合、紙幣管理装置１０には、２次元コードを読み取る読取部１０Ｄが設けられる。
【００５０】
上記実施形態において、銀行センター１や銀行支店２において、複数の紙幣計数機１１、２１を用いて、同一紙幣について計数処理を複数回行ってもよい。コンピュータ１２及び支店コンピュータ２２は、各計数処理について処理履歴情報を作成し、紙幣管理装置１０へ送信する。紙幣管理装置１０は、同一の紙幣番号が含まれる複数の処理履歴情報を紐付けて管理する。
【００５１】
銀行センター１や銀行支店２で紙幣の計数を行う装置は、図２、図３に示すような計数機に限定されない。例えば、図６に示すような、紙幣整理機２００を用いて紙幣の識別計数を行ってもよい。紙幣整理機２００は、紙幣投入部２１２及び紙幣を集積する複数のスタッカ２１１を備え、スタッカ毎に設定した分類条件に基づいて紙幣を分類し、分類条件に対応した複数のスタッカ２１１に紙幣を順次集積する。分類条件に該当しない紙幣はリジェクト部２１４にリジェクトされる。
【００５２】
上記実施形態では、処理履歴情報に計数処理を行った紙幣計数機を特定する情報（端末号機情報）及び処理担当者情報が含まれていたが、いずれか一方のみ含むものであってもよい。例えば、紙幣計数機と、紙幣計数機の使用者とが１対１で対応している場合は、処理履歴情報に端末号機情報及び処理担当者情報のうちいずれか一方のみしか含まれていない場合であっても、計数処理を行った紙幣計数機及び処理担当者を特定することができる。
【００５３】
上記実施形態では、銀行支店２から銀行センター１へ紙幣が搬送される場合について説明したが、図７に示すように、銀行センター１からＡＴＭ４に紙幣を補充する場合に、処理履歴情報を作成してもよい。ＡＴＭ４には、紙幣が収納されたカセット５を複数装填することができ、紙幣の補充はカセット単位で行われる。そのため、以下の表６に示すように、処理履歴情報には、ＡＴＭ４の設置場所だけでなく、ＡＴＭ４のどのカセット位置に当該紙幣が収納されたカセット５が装填されるかについての情報が含まれる。なお、端末号機情報は、同じ場所に複数台のＡＴＭ４が設置されている場合に、ＡＴＭ４を特定する情報であるため、ＡＴＭ４が１台しか設置されていない場合は省略できる。
【００５４】
【表６】
2015156050.tif 000008
【００５５】
上記実施形態では、紙幣計数機２１が設置されている銀行支店２から、紙幣計数機１１及び紙幣管理装置１０が設置されている銀行センター１へ紙幣が搬送される例について説明したが、紙幣計数機２１、紙幣計数機１１、紙幣管理装置１０が設置されるのは、銀行支店２、銀行センター１に限定されず、他の施設や店舗等でもよい。例えば、小売店、バス会社や鉄道会社等の日々の営業において多くの紙幣を扱う営業所でもよい。また、これらの営業所から紙幣を回収したり、営業所等へ紙幣を配送する集配センター等でもよい。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５７】
１  銀行センター
２  銀行支店
３  輸送車両
４  ＡＴＭ
５  カセット
１０  紙幣管理装置
１０Ａ  受信部
１０Ｂ  記憶部
１０Ｃ  管理部
１０Ｄ  読取部
１１  紙幣計数機
１２  コンピュータ
２１  紙幣計数機
２２  支店コンピュータ
２３  ２次元コード生成部
２００  紙幣整理機
【図１】
2015156050.tif 000009
【図２】
2015156050.tif 000010
【図３】
2015156050.tif 000011
【図４】
2015156050.tif 000012
【図５】
2015156050.tif 000013
【図６】
2015156050.tif 000014
【図７】
2015156050.tif 000015